(57)【要約】【課題】単に団扇としてだけしか使用できないため、趣向性に乏しく、また、簡単にして小さな物でも拡大して見ることができるものが要望されている。【解決手段】円形状に形成された団扇本体１と、該団扇本体１を支持する握柄２とを備える。団扇本体１は、透明若しくは半透明のシート状レンズ（例えば、フレネルレンズ）から形成され、必要に応じて団扇本体１の裏面にマンボウ等の装飾模様３が施される。この装飾模様３は、文字等の拡大対象物を透視する透視部分３ａと透視できない非透視部分３ｂとを組み合わせてなるものであり、団扇を使用する場所や目的に応じて、適宜な絵、文字、図柄、動物、キャラクター人形等が施される。握柄２は、例えば、合成樹脂材、木材、厚紙などの適宜素材で形成されており、団扇本体１の端縁を跨架すべく狭持されている。【選択図】図２
0003132185.tif 000002
【実用新案登録請求の範囲】
【請求項１】
所定大きさの団扇本体と、該団扇本体を支持する握柄とを備えてなる団扇において、前記団扇本体及び／又は握柄は、シート状レンズからなることを特徴とする団扇。
【請求項２】
前記団扇本体は、文字、図柄、動物、キャラクター人形等の象形を模したシート状レンズからなることを特徴とする請求項１に記載の団扇。
【請求項３】
前記シート状レンズは、絵、文字、図柄、動物、キャラクター人形等の装飾模様が施されていることを特徴とする請求項１又は２に記載の団扇。
【請求項４】
前記シート状レンズは、文字等の拡大対象物を透視する透視部分と透視できない非透視部分とを組み合わせて、絵、文字、図柄、動物、キャラクター人形等の装飾模様を施してなることを特徴とする請求項１，２又は３に記載の団扇。
【考案の詳細な説明】
【技術分野】
【０００１】
本考案は、団扇としてだけではなく物を拡大して見ることができる斬新な団扇の改良に関し、更に詳しくは、必要に応じて絵、文字、図柄、動物、キャラクター人形等の装飾模様を団扇本体であるフレネルレンズに施してなる有用な団扇に関する。
【背景技術】
【０００２】
従来、斯かる団扇としては、例えば、無端状の枠骨と、該枠骨内に備えられた複数本の中骨と、前記枠骨の任意の箇所において枠骨の外側に連設された柄材と、前記枠骨内の任意の箇所を塞ぐようにして、少なくとも前記中骨に接着された扇部とにより構成される団扇において、前記枠骨の任意の箇所に、長溝を具備した嵌合部を備え、前記長溝内に任意の箇所が嵌合されるようにして、棒状かつ変形可能な発光手段を、前記嵌合部に着脱自在に装着した発光手段を備えている。
【特許文献１】登録実用新案第３０８３５８６号
【考案の開示】
【考案が解決しようとする課題】
【０００３】
しかしながら、上述した登録実用新案第３０８３５８６号公報に開示されている団扇にあっては、発光手段を装着しているため、夜間においても団扇を目立たせることができるといった利点を有するものの、構成が複雑であるため、コストが高くなるといった問題を有すると共に、小さな物を拡大して見ることには使用できないできないものであった。
【０００４】
本考案はこのような従来の問題点に鑑みてなされたもので、単に団扇としてだけではなく、小さな物でも拡大して見ることができるなど趣向性に優れた有用で斬新な団扇を提供することを目的としたものである。
【課題を解決するための手段】
【０００５】
上述の如き従来の問題点を解決し、所期の目的を達成するため本考案の要旨とする構成は、所定大きさの団扇本体と、該団扇本体を支持する握柄とを備えてなる団扇において、前記団扇本体及び／又は握柄がシート状レンズからなる団扇に存する。
【０００６】
また、前記団扇本体は、文字、図柄、動物、キャラクター人形等の象形を模したシート状レンズからなるのが良い。  
【０００７】
更に、前記シート状レンズに、絵、文字、図柄、動物、キャラクター人形等の装飾模様を施しても良い。
【０００８】
また、前記シート状レンズは、文字等の拡大対象物を透視する透視部分と透視できない非透視部分とを組み合わせて、絵、文字、図柄、動物、キャラクター人形等の装飾模様を施しても良い。
【考案の効果】
【０００９】
本考案は上述のように構成され、前記団扇本体及び／又は握柄は、シート状レンズからなることによって、団扇としてのみならず、物を拡大して見ることができるため、例えば、視力の弱い人や年配者の方のように、新聞や雑誌の文字が見え難い人にとっては、団扇本体で覗くだけで拡大して解読することができるなど、団扇としての商品価値を高めることができる。
【００１０】
また、前記団扇本体は、文字、図柄、動物、キャラクター人形等の象形を模したシート状レンズからなることによって、従来のシンプルな団扇に比して、丈夫で趣向性の高い斬新な団扇を提供できることとなった。 
【００１１】
更に、前記シート状レンズに、絵、文字、図柄、動物、キャラクター人形等の装飾模様を施すこと、延いては、文字等の拡大対象物を透視する透視部分と透視できない非透視部分とを組み合わせて、絵、文字、図柄、動物、キャラクター人形等の装飾模様を施すことによって、使用場所等に応じて変化を付けられるため、販促品やノベルティグッズとして商品価値を高めることができるお洒落な団扇を提供できるものであり、同一団扇において本体の模様を変更することができるなど、意匠性にも富んだ団扇を提供できる。
【００１２】
このように本考案の団扇は、構成が単純であるため大量生産に適し、価格も低廉なものとして需要者に供給できる等、本考案を実施することはその実益的価値が甚だ大なるものがある。
【考案を実施するための最良の形態】
【００１３】
団扇本体及び／又は握柄をシート状レンズで構成し、延いては、前記団扇本体は、文字、図柄、動物、キャラクター人形等の象形を模したシート状レンズ若しくは絵、文字、図柄、動物、キャラクター人形等の装飾模様を施したシート状レンズで構成せしめ、延いては、同シート状レンズに、文字等の拡大対象物を透視する透視部分と透視できない非透視部分とを組み合わせて、絵、文字、図柄、動物、キャラクター人形等の装飾模様を施すのが良い。
【実施例】
【００１４】
次に、本考案の第１実施例を図１を参照しながら説明する。図中Ａは、本考案に係る団扇であり、この団扇Ａは、図１に示すように、円形状に形成された団扇本体１と、該団扇本体１を支持する握柄２とを備えている。
【００１５】
団扇本体１は、透明若しくは半透明のシート状レンズから形成されている。このシート状レンズとしては、主としてフレネルレンズが挙げられるが、その他、キュービックレンズ、パラボリックレンズ、プリズムレンズ、表面形状がテトラ若しくはプリズム状に突出したプリズム型シートレンズ等のマイクロレンズ群を使用しても良い。
【００１６】
尚、表面形状がテトラ若しくはプリズム状に突出したプリズム型シートレンズを使用することにより、再帰反射有効率に優れた超高輝度の団扇を提供できる。
【００１７】
一方、握柄２は、例えば、合成樹脂材、木材、厚紙などの適宜素材で形成されており、団扇本体１の表裏端縁を跨架すべくを狭持している。また、この握柄２は、必要に応じては団扇本体１と一体成形しても良く、更に形状は、握柄状に限定されるものではなく、例えば、ストラップ等の紐材、クリップなどで代用しても良い。
【００１８】
このように構成される本実施例の団扇Ａは、単に煽いで風を送るといった団扇本来の使用のみならず、団扇本体１で透視することにより、例えば、手帳、新聞、雑誌等のみならず、携帯電話の小さな液晶窓に表示される電話番号やメールの文字を拡大して見ることができるため、視力の弱い人や年配者の方にとって頗る便利である。
【００１９】
次に、本考案の第２実施例を図２乃至図３を参照しながら説明する。尚、理解を容易にするため、前述した第１実施例と同一部分は同一符号で示し、構成の異なる処のみを新たな番号を付して以下に説明する。
【００２０】
図２及び図３は、団扇本体１の裏面にマンボウ(図２参照)等の装飾模様３を印刷してなるものである。この装飾模様３は、文字等の拡大対象物を透視する透視部分３ａと透視できない非透視部分３ｂとを組み合わせてなるものであり、団扇を使用する場所、目的に応じて、その他の絵、文字、図柄、動物、キャラクター人形等が施されることは云うまでもない。
【００２１】
次に、本考案の第３実施例を図４乃至図５を参照しながら説明する。尚、理解を容易にするため、前述した第１実施例と同一部分は同一符号で示し、構成の異なる処のみを新たな番号を付して以下に説明する。
【００２２】
図４及び図５は、団扇本体１は、豚(図４参照)若しくは河馬(図５参照)の象形を模して型抜きされている。
【００２３】
尚、本考案の団扇は、本実施例に限定されることなく、本考案の目的の範囲内で自由に設計変更し得るものであり、本考案はそれらの全てを包摂するものである。
【００２４】
例えば、本実施例で使用しているフレネルレンズに代えて、プリズム型超高輝度反射シートを使用したり、団扇本体１の背面側に金属蒸着層を施した構造のものを使用し、表面に形成された装飾模様３が拡散するのみならず、光の入射角や見る角度により装飾模様３の浮かび上がるように構成しても良い。
【図面の簡単な説明】
【００２５】
【図１】本考案に係る団扇の第１実施例を示す正面図である。
【図２】同団扇の第２実施例を示すもので、団扇本体の表面に装飾模様を印刷した状態を示す正面図である。
【図３】同団扇の第２実施例を示すもので、団扇本体の表面に他の装飾模様を印刷した状態を示す正面図である。
【図４】同団扇の第３実施例を示すもので、団扇本体を豚の象形に模した状態を示す正面図である。
【図５】同団扇の第３実施例を示すもので、団扇本体を河馬の象形に模した状態を示す正面図である。
【符号の説明】
【００２６】
１  団扇本体
２  握柄
３  装飾模様
３ａ  透視部
３ｂ  非透視部
【図１】
0003132185.tif 000003
【図２】
0003132185.tif 000004
【図３】
0003132185.tif 000005
【図４】
0003132185.tif 000006
【図５】
0003132185.tif 000007